(57)【特許請求の範囲】
【請求項１】
ガイドレールで囲まれた部分が遊技領域として構成される遊技盤を備えたパチンコ遊技機の遊技盤取付装置であって、
パチンコ遊技機の可動枠に設けられて遊技盤を前方から収容し得るように前方に開口しかつ前後方向に奥行の有る箱形に構成された盤収容室と、
盤収容室の右上部に設けられた盤ロック機構と、
遊技盤の右側上部に設けられた除去部とを備え、
盤ロック機構は、盤収容室の右上隅部に設けられたレバー軸と、レバー軸を中心として回転可能に設けられたロックレバーとを備え、
ロックレバーは、レバー軸を中心として回転操作されることによってレバー軸を中心とする第３象限の回転運動範囲を回転可能なように設けられて、レバー軸から左側に突出するように位置されるとともにレバー軸から下方に突出するように位置され、
除去部は、遊技盤の右上隅部が外側からガイドレールの側にへこむように形成された窪みであって、レバー軸から左側に突出するように位置した場合におけるロックレバーの先端部以外の部分を逃げるとともに、レバー軸から下方に突出するように位置した場合におけるロックレバーを逃げる形状として構成され、
ロックレバーがレバー軸から下方に突出する状態において遊技盤が可動枠の前方から盤収容室に挿入された後、ロックレバーがレバー軸から左側に突出する状態に回転操作された場合に、ロックレバーの先端部が遊技盤の前部を前方から後方に押して遊技盤を支持することによって遊技盤が盤収容室に取付けられることを特徴とするパチンコ遊技機の遊技盤取付装置。
【請求項２】
遊技盤の右側上部の前面に設けられたロック突起を備え、
ロック突起は、遊技盤が盤収容室に収容された状態においてレバー軸を中心とする１つの円周上に配置される弧状であって、下方から上方に行くにしたがって遊技盤の前面から徐々に前方に突出するように構成され、
ロックレバーの先端部がレバー軸を中心として下方から左側に持ち上げられるのに伴い、ロックレバーでロック突起を前方から後方に押す力が徐々に強くなるように構成されたことを特徴とする請求項１記載のパチンコ遊技機の遊技盤取付装置。
【請求項３】
盤収容室がレバー保護壁を備え、レバー保護壁は、前方から後方へ向かう外力がロックレバーの先端部に作用した場合にロックレバーの先端部を受け止めることによって、ロックレバーが後方に曲がることがないようにロックレバーを保護することを特徴とする請求項１又は請求項２に記載のパチンコ遊技機の遊技盤取付装置。  
【発明の詳細な説明】
【技術分野】
【０００１】
本発明は、ガイドレールの外側に有効に活用できる空間が確保されるパチンコ遊技機の遊技盤取付装置に関する。
【背景技術】
【０００２】
図１０は、特許文献１で開示されたパチンコ遊技機の遊技盤取付装置を示す。図１０では、遊技盤２５の左側部が可動枠３に前方から挿入されて盤受止部８と盤押出部９との間に嵌め込まれた後、遊技盤２５の右側部が前方から可動枠３の方に押され、ロックハンドル１６がロック孔２９を経由して遊技盤２５の前方に突出し、遊技盤２５のロック孔２９の周りの後面が盤ロック機構１１の台座の前面に受け止められた後、ロックハンドル１６が例えば左方向に９０度回転操作されて遊技盤２５におけるロック孔２９の周りの前面に係合することによって、遊技盤２５の左側部が盤受止部８と盤押出部９とで前後方向に挟まれ、遊技盤２５の右側部が盤ロック機構１１の台座とロックハンドル１６とで前後方向に挟まれ、遊技盤２５が盤収容室６に取り付けられる。しかしながら、ロックハンドル１６がハンドル軸１５の直径方向の両側に突出する棒状であってハンドル軸１５を中心として台座の前面に平行する方向に回転し得るように台座に設けられ、ロックハンドル１６を前後方向に出し入れするロック孔２９が遊技盤２５に設けられた構造であるので、ロックハンドル１６の位置がガイドレール２６に近くなり、ガイドレール２６の外側に有効に活用できる空間が確保できないという欠点があった。
【特許文献１】特開２００６−１６７１８３号公報
【発明の開示】
【発明が解決しようとする課題】
【０００３】
発明が解決しようとする問題点は、ガイドレールの外側に有効に活用できる空間が確保できないという点である。
【課題を解決するための手段】
【０００４】
本発明に係るパチンコ遊技機の遊技盤取付装置は、ガイドレールで囲まれた部分が遊技領域として構成される遊技盤を備えたパチンコ遊技機の遊技盤取付装置であって、パチンコ遊技機の可動枠に設けられて遊技盤を前方から収容し得るように前方に開口しかつ前後方向に奥行の有る箱形に構成された盤収容室と、盤収容室の右上部に設けられた盤ロック機構と、遊技盤の右側上部に設けられた除去部とを備え、盤ロック機構は、盤収容室の右上隅部に設けられたレバー軸と、レバー軸を中心として回転可能に設けられたロックレバーとを備え、ロックレバーは、レバー軸を中心として回転操作されることによってレバー軸を中心とする第３象限の回転運動範囲を回転可能なように設けられて、レバー軸から左側に突出するように位置されるとともにレバー軸から下方に突出するように位置され、除去部は、遊技盤の右上隅部が外側からガイドレールの側にへこむように形成された窪みであって、レバー軸から左側に突出するように位置した場合におけるロックレバーの先端部以外の部分を逃げるとともに、レバー軸から下方に突出するように位置した場合におけるロックレバーを逃げる形状として構成され、ロックレバーがレバー軸から下方に突出する状態において遊技盤が可動枠の前方から盤収容室に挿入された後、ロックレバーがレバー軸から左側に突出する状態に回転操作された場合に、ロックレバーの先端部が遊技盤の前部を前方から後方に押して遊技盤を支持することによって遊技盤が盤収容室に取付けられることを最も主要な特徴とする。
遊技盤の右側上部の前面に設けられたロック突起を備え、ロック突起は、遊技盤が盤収容室に収容された状態においてレバー軸を中心とする１つの円周上に配置される弧状であって、下方から上方に行くにしたがって遊技盤の前面から徐々に前方に突出するように構成され、ロックレバーの先端部がレバー軸を中心として下方から左側に持ち上げられるのに伴い、ロックレバーでロック突起を前方から後方に押す力が徐々に強くなるように構成されたことも特徴とする。
盤収容室がレバー保護壁を備え、レバー保護壁は、前方から後方へ向かう外力がロックレバーの先端部に作用した場合にロックレバーの先端部を受け止めることによって、ロックレバーが後方に曲がることがないようにロックレバーを保護することも特徴とする。
【発明の効果】
【０００５】
本発明に係るパチンコ遊技機の遊技盤取付装置は、盤ロック機構を構成するレバー軸及びロックレバーが、パチンコ遊技機の可動枠に設けられて遊技盤を前方から収容し得るように前方に開口しかつ前後方向に奥行の有る箱形に構成された盤収容室に設けられ、ロックレバーがレバー軸を中心とする第３象限の回転運動範囲を回転するように設けられ、遊技盤の右上隅部が外側からガイドレールの側にへこむように形成された窪みであって、レバー軸から左側に突出するように位置した場合におけるロックレバーの先端部以外の部分を逃げるとともに、レバー軸から下方に突出するように位置した場合におけるロックレバーを逃げる形状として構成された除去部を備えているので、ロックレバーの位置がガイドレールから離れ、ガイドレールの外側に有効に活用できる空間が確保できるという利点がある。
遊技盤の右側上部の前面に設けられたロック突起を備え、ロック突起は、遊技盤が盤収容室に収容された状態においてレバー軸を中心とする１つの円周上に配置される弧状であって、下方から上方に行くにしたがって遊技盤の前面から徐々に前方に突出するように構成され、ロックレバーの先端部がレバー軸を中心として下方から左側に持ち上げられるのに伴い、ロックレバーでロック突起を前方から後方に押す力が徐々に強くなるように構成されたので、ロックレバーがロック突起を前方から後方に押すことによって、ロックレバーがレバー軸を中心として左側から下方にずれ落ちることがなく、ロックレバーが遊技盤を盤収容室に適切に支持することができ、かつ、ロックレバーで遊技盤を盤収容室に支持する際の操作性が良くなるという利点がある。
盤収容室がレバー保護壁を備え、レバー保護壁は、前方から後方へ向かう外力がロックレバーの先端部に作用した場合にロックレバーの先端部を受け止めることによって、ロックレバーが後方に曲がることがないようにロックレバーを保護することができる。
【発明を実施するための最良の形態】
【０００６】
図１は、遊技盤２５の装着された可動枠３の正面を示す。図２は、パチンコ遊技機の遊技盤取付装置を示す。図３は、盤ロック機構１０を分解して示す。図４は、盤ロック機構１０が遊技盤２５を可動枠３に支持した構造を示す。本明細書における「前」、「後」、「左」、「右」、「上」、「下」の方向は、図２の状態に遊技機枠１および遊技盤２５を置いて矢印Ｓで示す前方から見た場合に特定される方向である。
【０００７】
図２を参照し、パチンコ遊技機の遊技盤取付装置について説明する。パチンコ遊技機の遊技盤取付装置は、遊技機枠１に遊技盤２５を取り付けたり取り外したりするための装置である。遊技機枠１は、固定枠２の前部に可動枠３を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側部に位置するヒンジ４を中心とし、固定枠２の前部において前方に開かれかつ後方に閉じられるように片開き可能な前枠とも呼ばれる。
【０００８】
可動枠３には、発射機構５、盤収容室６、中央開口部７、盤受止部８、盤押出部９、盤ロック機構１０；１１、盤受止部１２などが設けられる。盤収容室６は、前方に開口し、前後方向に奥行の有る箱形に構成される。中央開口部７は、盤収容室６の背壁に前後方向への貫通孔として形成される。盤受止部８は、盤押出部９で前方に押された遊技盤２５の前面を受け止める突起として、盤収容室６の左側部に設けられる。盤押出部９は、遊技盤２５を前方に押す弾性体として、盤収容室６の左側部に設けられる。盤押出部９としての弾性体は、コイルばねまたは板ばねあるいはゴムなどいずれか１つで構成されるが、板ばねであれば耐久性と構造簡単化との観点から最良である。
【０００９】
盤ロック機構１０は、盤収容室６の右上部に設けられ、レバー軸１３およびロックレバー１４を備える。レバー軸１３は、盤収容室６の背壁に設けられる。ロックレバー１４は、レバー軸１３を中心として上下方向に回転し得るように、盤収容室６の背壁に設けられる。盤ロック機構１１は、盤収容室６の右下部に設けられ、ハンドル軸１５およびロックハンドル１６を備える。ハンドル軸１５は、盤収容室６の背壁から前方に突出する台座の中心に設けられる。ロックハンドル１６は、ハンドル軸１５の直径方向の両側に突出する棒状であって、ハンドル軸１５を中心として台座の前面に平行する方向に回転し得るように、台座に設けられる。
【００１０】
可動枠３の前部には、上扉１７および下扉１８が開閉可能に設けられる。上扉１７および下扉１８は、左側部に位置するヒンジ１９を中心とし、可動枠３の前部において個別に前方に開かれかつ後方に閉じられるように、片開き可能に構成される。上扉１７および下扉１８は、前扉として一体に構成されてもよい。上扉１７は、パネル枠とも呼ばれ、窓２０や窓パネル２１を備える。窓２０は、前後方向への貫通孔として構成される。窓パネル２１は、板状のガラスなどの透明体により構成され、窓２０を後方から塞ぐ。下扉１８の前部には、受皿２２および発射操作機構２３が設けられる。下扉１８の後部には、供給口部２４が設けられる。
【００１１】
遊技盤２５の前面には、ガイドレール２６や発射通路２７が設けられる。遊技盤２５のガイドレール２６で囲まれた部分には、アウト口２８や図外の入賞部品および図外の遊技釘などの遊技部品が設けられる。遊技盤２５の右下部には、ロック孔２９が前後方向への貫通孔として設けられる。遊技盤２５の右側上部には、除去部３０およびロック部材３１が設けられる。除去部３０は、遊技盤２５の右上隅部が外側からガイドレール２６の側にへこむように形成された窪みであって、盤ロック機構１０のレバー軸１３から左側に突出するように位置した場合におけるロックレバー１４の先端部以外の部分を逃げる形状とし、また、盤ロック機構１０のレバー軸１３から下方に突出するように位置した場合におけるロックレバー１４を逃げる形状として構成されている。ロック部材３１は、除去部３０の左に隣接し、遊技盤２５の前面に固定される。
【００１２】
ロック部材３１には、ロック突起３２および落下防止突起３３が設けられる。ロック突起３２は、遊技盤２５が盤収容室６に収容された状態においてレバー軸１３を中心とする１つの円周上に配置される弧状であって、下方から上方に行くにしたがってロック部材３１の前面から徐々に前方に突出する。落下防止突起３３は、ロック突起３２を前方から後方に押したロックレバーを下方に落下するのを防止する位置に設けられ、スリット３３Ａで上下および右を囲まれるようにロック部材３１に片持ち梁のように形成された弾性片の先端部に突起を備える。
【００１３】
遊技盤２５が作業者によって遊技機枠１に取り付けられる場合を例として説明する。可動枠３が固定枠２に開閉不能に支持され、上扉１７が前方に開けられ、ロックハンドル１６がロック孔２９と対応するように上下方向に縦長になるように停止され、ロックレバー１４がレバー軸１３から下方に突出するようにレバー軸１３で吊り下げられた状態において、作業者が遊技盤２５を手で持ち、遊技盤２５の前面が前方に向けられ、遊技盤２５の裏面が可動枠３の前面に対し斜めに向けられ、遊技盤２５の左側部が可動枠３に前方から挿入されて盤受止部８と盤押出部９との間に嵌め込まれ、遊技盤２５の下縁部が盤収容室６の下縁部の上に乗せられる。
【００１４】
次に、遊技盤２５の右側部が作業者によって前方から可動枠３の方に押されると、ロックハンドル１６がロック孔２９を経由して遊技盤２５の前方に突出し、遊技盤２５のロック孔２９の周りの後面が盤ロック機構１１の台座の前面に受け止められ、ロックレバー１４が除去部３０を経由して遊技盤２５の前方に突出し、遊技盤２５のロック部材３１と対応する後面が盤受止部１２の前面に受け止められる。
【００１５】
その状態において、作業者がロックハンドル１６を例えば左方向に９０度回転操作すると、ロックハンドル１６が遊技盤２５におけるロック孔２９の周りの前面に係合する。また、ロックレバー１４の先端部が作業者によって持ち上げられると、ロックレバー１４がレバー軸１３を中心として左上方に回転するのに伴い、ロックレバー１４の先端部がロック突起３２を前方から後方に押し、ロックレバー１４が落下防止突起３３を上方に越えた後にレバー軸１３から左側に突出する位置で停止する。
【００１６】
これによって、図１に示すように、遊技盤２５の左側部が盤受止部８と盤押出部９とで前後方向に挟まれ、遊技盤２５の右下部が盤ロック機構１１の台座とロックハンドル１６とで前後方向に挟まれ、遊技盤２５の右側上部が盤受止部１２と盤ロック機構１０のロックレバー１４とで前後方向に挟まれ、遊技盤２５が盤収容室６に取り付けられる。
【００１７】
その状態において、遊技盤２５が可動枠３から取り外される場合について説明すると、ロックレバー１４がレバー軸１３を中心として左側から下方に回転されて遊技盤２５の除去部３０と対応させられ、ロックハンドル１６が例えば右方向に９０度回転操作されてロック孔２９と対応させられる。そして、作業者が遊技盤２５の右側部を前方に引き出した後、作業者が遊技盤２５を盤受止部８および盤押出部９から解放させるように斜め前方に移動することによって、遊技盤２５が可動枠３から取り外される。
【００１８】
つまり、図１に示すように、レバー軸１３が盤収容室６の右上隅部に設けられ、ロックレバー１４がレバー軸１３を中心とする第３象限の回転運動範囲を回転するように設けられ、遊技盤２５に除去部３０が設けられ、ロックレバー１４が遊技盤２５における除去部３０よりも左側に位置する前部を前方から後方に押すように支持する構造であるので、ロックレバー１４の位置がガイドレール２６から離れ、ガイドレール２６の外側に有効に活用できる空間が確保できるという利点がある。第３象限は、可動枠３を正面から見た場合において、レバー軸１３から下方に延びる直線とレバー軸１３から左側に延びる直線とで区切られる１個の象限である。
【００１９】
図２に戻り、ロック突起３２を有するロック部材３１が遊技盤２５に設けられているので、ロックレバー１４の先端部がレバー軸１３を中心として下方から左側に持ち上げられるのに伴いロック突起３２を前方から後方に押すので、ロック部材３１が遊技盤２５に設けられていない場合に、ロックレバー１４の先端部がレバー軸１３を中心として左側から下方にずれ落ちることがなく、ロックレバー１４が遊技盤２５を盤収容室６に適切に支持することができるという利点がある。ロック突起３２が下方から上方に行くにしたがってロック部材３１の前面から徐々に前方に突出する形状に構成されているので、ロックレバー１４の先端部がレバー軸１３を中心として下方から左側に持ち上げられるのに伴い、ロックレバー１４でロック突起３２を前方から後方に押す力が徐々に強くなり、ロックレバー１４で遊技盤２５を盤収容室６に支持する際の操作が良好になるという利点がある。
【００２０】
遊技盤２５が可動枠３に取り付けられた後、上扉１７が閉じられて可動枠３に開閉不能に支持されることによって、パチンコ遊技機が構成される。このパチンコ遊技機では、窓パネル２１と遊技盤２５の前面との間におけるガイドレール２６で囲まれた部分が遊技領域として構成される。この遊技領域は、発射機構５から発射された球の飛び交う空間であり、かつ、遊技機枠１の前方から窓２０および窓パネル２１を通して視認し得る空間である。
【００２１】
パチンコ遊技機におけるパチンコ遊技の一例について説明すると、遊技者が受皿２２にパチンコ球と呼ばれる球を入れ、遊技者が発射操作機構２３を操作するのに伴い、発射機構５が発射操作機構２３の操作量に応じた発射力で駆動し、発射機構５が受皿２２から供給口部２４を経由して発射機構５に取り込まれた球を１個ずつ発射通路２７に向けて発射する。発射通路２７に発射された球は、発射通路２７から遊技領域の上部に到達する。遊技領域に到達した球が、遊技領域を流下する過程において、図外の入賞部品に入賞すると、当該入賞部品に対応する図外の球検出器が入賞信号を図外の制御装置に出力し、図外の制御装置が図外の球払出機構を制御し、球払出機構が賞球としての球を図外の球通路を通して受皿２２に払い出す。
【００２２】
図３を参照し、盤ロック機構１０について説明する。盤収容室６の右上隅部には、支柱３４およびカバー取付部３５が設けられる。支柱３４の前部には、レバー軸１３が支柱３４よりも直径の細い円柱状に設けられる。カバー取付部３５には、ねじ結合部３６と位置決め部３７およびストッパ３８が設けられる。ロックレバー１４には、操作部３９および軸受孔４０が設けられる。ロックカバー４１には、ねじ挿入孔４２および位置決め部４３が設けられる。
【００２３】
盤ロック機構１０は、次のように組み立てられる。ロックレバー１４の軸受孔４０が可動枠３の前方からレバー軸１３に嵌め込まれ、ロックカバー４１が可動枠３の前方からロックレバー１４の軸受孔４０の周りを覆うようにカバー取付部３５に被せられ、位置決め部３７；４３が互いに嵌め合わせられる。その後、ねじ釘４４がねじ挿入孔４２からねじ結合部３６に締結され、ねじ釘４５がねじ挿入孔４２からレバー軸１３に締結される。これによって、ロックカバー４１がカバー取付部３５に固定され、ロックレバー１４の軸受孔４０の周りがカバー取付部３５とロックカバー４１との間に配置され、ロックレバー１４がレバー軸１３を中心として上下方向に回転可能に装着される。ねじ釘４５は、丸棒からなる軸の一端部に軸よりも外形の大きな頭部を備え、軸の他端部に雄ねじ部を備えた構造体でもよい。
【００２４】
図４を参照し、盤ロック機構１０が遊技盤２５を盤収容室６に支持した場合について説明する。ロックレバー１４の先端部が作業者によって下方から上方に持ち上げられると、ロックレバー１４がレバー軸１３を中心として真下から左上方に回転するのに伴い、ロックレバー１４の先端部が落下防止突起３３を下方から上方に越えた後にロック突起３２を前方から後方に押し、ロックレバー１４がレバー軸１３から左側に突出する位置で停止する。これによって、遊技盤２５における除去部３０の周りが盤受止部１２とロックレバー１４の先端部とで前後に移動しないように支持される。そして、落下防止突起３３がロックレバー１４の下縁部を下から支持しているので、ロックレバー１４がレバー軸１３を中心として下方に回転することがなく、遊技盤２５に対する盤受止部１２とロックレバー１４とによる支持が確保されるという利点がある。
【産業上の利用可能性】
【００２５】
図５および図６は、発明を実施するための異なる第１の形態を示す。図５を参照し、第１の形態の最良の形態と異なる構造について説明する。可動枠３の後部にはタンク４６および払出機構４７が盤収容室６の上部に配置されるように取り付けられ、払出機構４７の球出口部４８が盤ロック機構１０の真下に位置して盤収容室６に設けられ、遊技盤２５が盤収容室６に取り付けられた場合に除去部３０が球出口部４８を逃げる大きさに形成され、上扉１７の前部には通路部材４９が設けられ、通路部材４９の球入口部５０が上扉１７の後部に設けられ、上扉１７が閉じられて可動枠３に開閉不能に支持された場合、球出口部４８と球入口部５０とが互いに接続され、上扉１７および下扉１８が可動枠３に開閉不能に支持された場合、通路部材４９の下端部における球出口部が受皿２２の上に配置される構造が、最良の形態と異なる。そして、球がタンク４６に貯蔵され、払出機構４７が駆動すると、球がタンク４６から払出機構４７、球出口部４８、球入口部５０および通路部材４９を経由して受皿２２に払い出される。つまり、異なる第１の形態は、盤ロック機構１０とガイドレール２６との間に確保された空間を球出口部４８の配置部として利用した特徴を有する。
【００２６】
図６を参照し、出口取付部５１が盤収容室６の背面に設けられ、球出口部４８の外側に設けられた取付足５２が出口取付部５１に前方から重ね合わされ、ねじ釘５３が取付足５２を貫通して出口取付部５１に締結されることによって、球出口部４８が中央開口部７に配置されて盤収容室６に取り付けられる。
【００２７】
図７は、発明を実施するための異なる第２の形態を示す。図７では、レバー保護壁５４が盤収容室６に設けられた構造が、最良の形態と異なる。遊技盤２５（図２参照）が盤収容室６に収容されていない場合において、前方から後方へ向かう外力がロックレバー１４の先端部に作用したとき、ロックレバー１４の先端部がレバー保護壁５４で受け止められることによって、ロックレバー１４がレバー軸１３や支柱３４を支点として後方に曲がることがないように、ロックレバー１４を保護することができる。遊技盤２５（図２参照）が盤収容室６に収容されていない場合において、ロックレバー１４がレバー軸１３を中心として左上方に回転してレバー軸１３から左側に突出する位置に到達する過程でレバー保護壁５４と接触し、その位置に停止するようにレバー保護壁５４で支持される。
【００２８】
図８および図９は、発明を実施するための異なる第３の形態を示す。図８を参照し、第３の形態の最良の形態と異なる構造について説明する。図８では、盤収容室６の左側部には枠側取付構造体５５がヒンジ５６を中心として前後方向に回転可能に取り付けられ、枠側取付構造体５５には盤押出部９や枠側係合部５７およびコネクタ５８が設けられ、遊技盤２５の左側部には盤側取付構造体５９が設けられ、盤側取付構造体５９には盤側係合部６０が設けられ、遊技盤２５の左側後部にはコネクタ６１が設けられた構造が、最良の形態と異なる。
【００２９】
そして、遊技盤２５が遊技機枠１に取り付けられる場合、遊技盤２５の左側部が可動枠３に前方から挿入され、盤側係合部６０が枠側係合部５７に上方から嵌め込まれた後、遊技盤２５が枠側係合部５７と盤側係合部６０との嵌合部分を中心として下方に回転され、遊技盤２５の左側部および下部が枠側取付構造体５５に接触するように、枠側取付構造体５５と盤側取付構造体５９とが互いに組み合わせられる場合、コネクタ５８；６１が互いに接続される。引き続き、遊技盤２５の右側部が作業者によって前方から可動枠３の方に押されて盤受止部１２および盤ロック機構１１の台座に受け止められた後、ロックハンドル１６が操作されて遊技盤２５におけるロック孔２９の周りの前面に係合し、ロックレバー１４の先端部が下方から上方に持ち上げられてロック突起３２を前方から後方に押すことによって、遊技盤２５が遊技機枠１に取り付けられる。
【００３０】
図９を参照し、遊技盤２５が盤収容室６に取り付けられた形態を可動枠３の前方から見た場合について説明する。枠側係合部５７と盤側係合部６０とが互いに嵌め合わされ、盤受止部８が遊技盤２５の左側部の前面を受け止め、ロックレバー１４およびロックハンドル１６が遊技盤２５の前面に係合し、球出口部４８が遊技盤２５の除去部３０に配置されている。
【００３１】
図１において、右下の盤ロック機構１１が除去され、盤ロック機構１０が盤収容室６の右上と右下とに設けられ、右下のロック孔２９が除去され、除去部３０が遊技盤２５の右上と右下とに設けられた構造でもよい。ロック部材３１が遊技盤２５から除去され、ロックレバー１４の先端部が遊技盤２５の前面に接触する構造でもよい。
【図面の簡単な説明】
【００３２】
【図１】遊技盤の装着された可動枠の正面図（最良の形態）。
【図２】パチンコ遊技機の遊技盤取付装置の分解斜視図（最良の形態）。
【図３】右上の盤ロック機構の分解斜視図（最良の形態）。
【図４】右上の盤ロック機構による遊技盤の可動枠への支持構造を一部破断して示す平面図（最良の形態）。
【図５】パチンコ遊技機の遊技盤取付装置の分解斜視図（異なる第１形態）。
【図６】可動枠および球出口部の取付部分の分解斜視図（異なる第１形態）。
【図７】右上の盤ロック機構周りの斜視図（異なる第２形態）。
【図８】パチンコ遊技機の遊技盤取付装置の分解斜視図（異なる第３形態）。
【図９】遊技盤の装着された可動枠の正面図（異なる第３形態）。
【図１０】パチンコ遊技機の遊技盤取付装置の分解斜視図（従来）。
【符号の説明】
【００３３】
１は遊技機枠、２は固定枠、３は可動枠、４はヒンジ、５は発射機構、６は盤収容室、７は中央開口部、８は盤受止部、９は盤押出部、１０；１１は盤ロック機構、１２は盤受止部、１３はレバー軸、１４はロックレバー、１５はハンドル軸、１６はロックハンドル、１７は上扉、１８は下扉、１９はヒンジ、２０は窓、２１は窓パネル、２２は受皿、２３は発射操作機構、２４は供給口部、２５は遊技盤、２６はガイドレール、２７は発射通路、２８はアウト口、２９はロック孔、３０は除去部、３１はロック部材、３２はロック突起、３３は落下防止突起、３３Ａはスリット、３４は支柱、３５はカバー取付部、３６はねじ結合部、３７は位置決め部、３８はストッパ、３９は操作部、４０は軸受孔、４１はロックカバー、４２はねじ挿入孔、４３は位置決め部、４４；４５はねじ釘、４６はタンク、４７は払出機構、４８は球出口部、４９は通路部材、５０は球入口部、５１は出口取付部、５２は取付足、５３はねじ釘、５４はレバー保護壁、５５は枠側取付構造体、５６はヒンジ、５７は枠側係合部、５８はコネクタ、５９は盤側取付構造体、６０は盤側係合部、６１はコネクタ。
【図１】
0005188129.tif 000002
【図２】
0005188129.tif 000003
【図３】
0005188129.tif 000004
【図４】
0005188129.tif 000005
【図５】
0005188129.tif 000006
【図６】
0005188129.tif 000007
【図７】
0005188129.tif 000008
【図８】
0005188129.tif 000009
【図９】
0005188129.tif 000010
【図１０】
0005188129.tif 000011